(57)【要約】【課題】平行六面体の容器とカップ状のふたとを具備している、たばこ製品用の硬質なパッケージを提供する。【解決手段】容器（２）はたばこ製品の群を収容するようになっており、そして取り出し開口部（３）を備えていて；  ふた（４）はヒンジ（５）に沿って容器（２）にヒンジ取り付けされており、容器（２）に関して開位置と、閉位置との間で回転するようになっていて；容器（２）とふた（４）とはそれぞれブランク（１８，１９）により形成されており；ふた（４）は接続タブ（２０）に接着されていて容器（２）の下端面（９）と一体になっている。【選択図】図４
2007238182.tif 000002
【特許請求の範囲】
【請求項１】
平行六面体形状の容器（２）とカップ形状のふた（４）とを具備している、たばこ製品用の硬質なパッケージであって：
前記容器（２）は第一ブランク（１８）を折り曲げることにより形成されていて、たばこ製品の群を収容するようになっており、そして二つの大きな側面（６）と、二つの小さな側面（７）と、取り出し開口部（３）を備えた上端面（８）と、下端面（９）とを備えていて；
前記ふた（４）は前記第一ブランク（１８）とは独立している別の第二ブランク（１９）を折り曲げることにより形成されていて、そしてヒンジ（５）に沿って前記容器（２）にヒンジ取り付けされており、前記容器（２）に対して前記取り出し開口部（３）を開口する開位置と、前記取り出し開口部（３）を閉じる閉位置との間で回転するようになっていて；前記ふた（４）が二つの大きな側面（１２）と、小さな側面（１３）と、上端面（１４）と、下端面（１５）とを有していて、前記上端面（１４）は、前記ふた（４）が前記閉位置にある場合、前記取り出し開口部（３）をおおうようになっており、前記下端面（１５）は、前記ふたの前記上端面（１４）と平行で向き合っていて、そして前記ふた（４）が閉位置にある場合、前記容器（２）の前記下端面（９）に接触するよう位置決めされているパッケージ（１）において；
前記容器（２）が接続タブ（２０）を備えており、前記接続タブ（２０）は前記ヒンジ（５）を画成する折り曲げ線により前記容器（２）から分割されていて、そして接続タブ全体が前記ふた（４）に接着されていることを特徴とする；
パッケージ。
【請求項２】
前記接続タブ（２０）は前記ヒンジ（５）を画成している前記折り曲げ線により前記容器（２）の前記下端面（９）に接続されていて、そして前記接続タブ（２０）全体が前記ふた（４）の前記下端面（１５）に接着されている、請求項１に記載のパッケージ。
【請求項３】
前記容器（２）の前記下端面（９）が、前記容器の前記下端面（９）と前記小さな側面（７）との間に画成された二つの小さな横断縁（１１）により境界となっていて；そして前記ヒンジ（５）は、前記容器（２）の前記下端面（９）の境界となっている前記二つの小さな横断縁（１１）の間の中間位置で、前記容器（２）の前記下端面（９）に設置されている、請求項２に記載のパッケージ。
【請求項４】
最大開口位置を画成するために、前記容器（２）に対して前記ふた（４）の回転を制限するためのストップ手段を備えている、請求項１−３のいずれか一項に記載のパッケージ。
【請求項５】
前記ストップ手段が少なくとも一つの第一スットップタブ（２１）と、第二スットップタブ（２２）とを備えていて；前記第一スットップタブ（２１）は前記容器（２）の大きな側面（６）から前記容器（２）の外側に向かって突出しており；前記第二スットップタブ（２２）は前記ふた（４）の大きな側面（１２）から前記ふた（４）の内側に向かって突出していて、そして前記ふた（４）を開らくことができるように前記第一スットップタブ（２１）と係合するべく位置決めされている、請求項４に記載のパッケージ。
【請求項６】
前記ストップ手段は、各々が前記容器（２）のそれぞれの大きな側面（６）に設置された二つの第一スットップタブ（２１）と；各々が前記ふた（４）のそれぞれの大きな側面（１２）に設置された二つの第二スットップタブ（２２）と；を備えている、請求項５に記載のパッケージ。
【請求項７】
前記第一スットップタブ（２１）各々が、前記容器（２）のそれぞれの大きな側面（６）に切り込みを作ることにより形成されている、請求項５又は６に記載のパッケージ。
【請求項８】
前記第一スットップタブ（２１）各々が、前記容器（２）のそれぞれの大きな側面（６）からストリップ材料を取り除くことにより形成されている、請求項５又は６に記載のパッケージ。
【請求項９】
前記取り出し開口部（３）が、前記容器（２）の前記上端面（８）の一部分と前記容器（２）の大きな側面（６）の一部分とをおおって延伸している、請求項１−８のいずれか一項に記載のパッケージ。
【請求項１０】
前記取り出し開口部（３）の少なくとも一部分が、前記容器（２）の引き裂き部分（２３）により閉じられている、請求項１−９のいずれか一項に記載のパッケージ。
【請求項１１】
前記引き裂き部分（２３）は、前記取り出し開口部（３）を完全に閉じている、請求項１０に記載のパッケージ。
【請求項１２】
前記引き裂き部分（２３）は、前記取り出し開口部（３）の一部分だけを閉じている、請求項１０に記載のパッケージ。
【請求項１３】
前記ふた（４）の前記小さな側面（１３）は、ユーザが指を挿入することのできる寸法となっている少なくとも一つの貫通穴を備えている、請求項１−１２のいずれか一項に記載のパッケージ。
【請求項１４】
前記ふた（４）の前記上端面（１４）が、前記ふた（４）の前記下端面（１５）より大きい、請求項１−１３のいずれか一項に記載のパッケージ。
【請求項１５】
前記ふた（４）の大きな側面（１２）各々が傾斜した底部を備えている、請求項１４に記載のパッケージ。
【請求項１６】
平らな第一ブランク（１８）は二本の長手折り曲げ線（２４）と多数の横断折り曲げ線（２５）とを有していて、前記横断折り曲げ線（２５）は前記上端面（８）の一部を形成する第一パネル（８' ）と；一方の大きな側面（６）を形成する第二パネル（６' ）と；前記下端面（９）を形成する第三パネル（９' ）と；他方の大きな側面（６）を形成する第四パネル（６' ）と；残りの前記上端面（８）を形成する第五パネル（８''）とを前記二つの長手折り曲げ線（２４）の間に画成しており；
前記第二パネル（６' ）と前記第四パネル（６' ）との各々が二つのウィング（７' ）を有していて、前記二つのウィング（７' ）はそれぞれの小さな側面（７）の一部を形成していて、そして対応する前記第二又は第四パネル（６' ，６' ）の両側に位置しており、前記長手折り曲げ線（２４）により対応する前記第二又は第四パネル（６' ，６' ）から分割されている、請求項１−１５のいずれか一項に記載のパッケージ。
【請求項１７】
前記第四パネル（６' ）の第一ウィング（７' ）が、前記横断折り曲げ線（２５）により前記第四パネル（６' ）から分割された二つのタブ（２６）を有していて；前記第四パネル（６' ）の第二ウィング（７' ）が一つのタブ（２６）だけを有していて、その一つのタブ（２６）は横断折り曲げ線（２５）により前記第四パネル（６' ）から分割され、そしてほぼ前記第三パネル（９' ）と整列している、請求項１６に記載のパッケージ。
【請求項１８】
平らな第一ブランク（１８）は二本の長手折り曲げ線（２４）と多数の横断折り曲げ線（２５）とを有していて、前記横断折り曲げ線（２５）は前記下端面（９）の一部を形成する第一パネル（９' ）と；一方の大きな側面（６）を形成する第二パネル（６' ）と；前記上端面（８' ）を形成する第三パネル（８' ）と；他方の大きな側面（６）を形成する第四パネル（６' ）と；残りの前記下端面（９）を形成する第五パネル（９''）とを前記二つの長手折り曲げ線（２４）の間に画成しており；
前記第二パネル（６' ）と前記第四パネル（６' ）との各々が二つのウィング（７' ）を有していて、前記二つのウィング（７' ）はそれぞれの小さな側面（７）の一部を形成していて、対応する前記第二又は第四パネル（６' ，６' ）の両側に位置しており、前記長手折り曲げ線（２４）により対応する前記第二又は第四パネル（６' ，６' ）から分割されている、請求項１−１７のいずれか一項に記載のパッケージ。
【請求項１９】
前記第四パネル（６' ）の第一ウィング（７' ）が、前記横断折り曲げ線（２５）により前記第四パネル（６' ）から分割された二つのタブ（２６）を有していて；前記第四パネル（６' ）の第二ウィング（７' ）が一つのタブ（２６）だけを有していて、その一つのタブ（２６）は横断折り曲げ線（２５）により前記第四パネル（６' ）から分割され、そしてほぼ前記第五パネル（９' ）と整列している、請求項１８に記載のパッケージ。
。
【請求項２０】
平らな前記第二ブランク（１９）は二本の横断折り曲げ線（２７）と多数の長手折り曲げ線（２８）とを有していて、前記長手折り曲げ線（２８）は一方の大きな側面（１２）を形成する第一パネル（１２' ）と；小さな側面（１３）を形成する第二パネル（１３' ）と；他方の大きな側面（１２）を形成する第三パネル（１２' ）とを二つの横断折り曲げ線（２７）の間に画成している請求項１−１９のいずれか一項に記載のパッケージ。
【請求項２１】
前記第一パネル（１２' ）が二つの第一ウィング（１４' ，１５' ）を有していて、前記二つの第一ウィング（１４' ，１５' ）はパネル（１２' ）の両端部に位置していて、前記横断折り曲げ線（２７）により前記第一パネル（１２' ）から分割されており、そして端面（１４，１５）のそれぞれの内部を形成していて；
前記第二パネル（１３' ）が二つの第二ウィング（１４''，１５''）を有していて、前記二つの第二ウィング（１４''，１５''）は前記第二パネル（１３' ）の両端部に位置していて、前記横断折り曲げ線（２７）により前記第二パネル（１３' ）から分割されており、そして前記端面（１４，１５）のそれぞれの内部を形成していて；
前記第三パネル（１２' ）が二つの第三ウィング（１４'''，１５'''）を有していて、前記二つの第三ウィング（１４'''，１５'''）は前記第三パネル（１２' ）の両端部に位置していて、前記横断折り曲げ線（２７）により前記第三パネル（１２' ）から分割されており、そして前記端面（１４，１５）のそれぞれの外部を形成している請求項２０に記載のパッケージ。
【請求項２２】
前記第一及び第二ウィング（１４' ，１５' ，１４''及び１５''）は、前記ふた（４）４の前記端面（１４，１５）を画成するために前記第三ウィング（１４'''及び１５'''）の上に折り曲げられた場合重ならないようになっている、請求項２１に記載のパッケージ。
【請求項２３】
平らな前記第二ブランク（１９）は二本の長手折り曲げ線（２９）と多数の横断折り曲げ線（３０）とを有していて、前記多数の横断折り曲げ線（３０）は前記上端面（１４）の一部を形成する第一パネル（１４' ）と；一方の大きな側面（１２）を形成する第二パネル（１２' ）と；前記下端面（１５）を形成する第三パネル（１５' ）と；他方の大きな側面（１２）を形成する第四パネル（１２' ）と；残りの前記上端面（１４）を形成する第五パネル（１４''）とを前記長手折り曲げ線（２９）の間に画成している、請求項１−１９のいずれか一項に記載のパッケージ。
【請求項２４】
前記第二及び第四パネル（１２' ）各々がウィング（１３' ）を有していて、前記ウィング（１３' ）は前記小さな側面（１３）の一部を形成していて、長手折り曲げ線（２９）により前記第二又は第四パネル（１２' ）から分割されている、請求項２３に記載のパッケージ。
【請求項２５】
前記第二パネル（１２' ）の前記ウィング（１３' ）が、前記横断折り曲げ線（３０）により前記ウィング（１３' ）から分割された二つのタブ（３１）を有している、請求項２４に記載のパッケージ。
【請求項２６】
上部タブ（３１）及び前記第一パネル（１４' ）は、前記上端面（１４）を形成するために前記第五パネル（１４''）の上に折り曲げられる場合重ならないような形状となっている、請求項２５に記載のパッケージ。
【請求項２７】
平らな前記第二ブランク（１９）は二本の長手折り曲げ線（２９）と多数の横断折り曲げ線（３０）とを有していて、前記多数の横断折り曲げ線（３０）は前記上端面（１５）の一部を形成する第一パネル（１５' ）と；一方の大きな側面（１２）を形成する第二パネル（１２' ）と；前記下端面（１４）を形成する第三パネル（１４' ）と；他方の大きな側面（１２）を形成する第四パネル（１２' ）と；残りの前記上端面（１５）を形成する第五パネル（１５''）とを前記長手折り曲げ線（２９）の間に画成している、請求項１−１９のいずれか一項に記載のパッケージ。
【請求項２８】
前記第二及び第四パネル（１２' ）各々がウィング（１３' ）を有していて、前記ウィング（１３' ）は前記小さな側面（１３）の一部を形成していて、長手折り曲げ線（２９）により前記第二又は第四パネル（１２' ）から分割されている、請求項２７に記載のパッケージ。
【請求項２９】
前記第二パネル（１２' ）の前記ウィング（１３' ）が、前記横断折り曲げ線（３０）により前記ウィング（１３' ）から分割された二つのタブ（３１）を有している、請求項２８に記載のパッケージ。
【請求項３０】
上部タブ（３１）及び前記第一パネル（１５' ）は、前記上端面（１５）を形成するために前記第五パネル（１５''）の上に折り曲げられる場合重ならないような形状となっている、請求項２９に記載のパッケージ。
【発明の詳細な説明】
【技術分野】
【０００１】
本発明は、たばこ製品用の接着したヒンジ付きふたを備えている硬質パッケージに関する。
【０００２】
本発明は紙巻きたばこの硬質な箱として使用されてもよくて、以下の説明も紙巻きたばこの箱を単なる例として引用するものである。
【背景技術】
【０００３】
ヒンジ付きふたを備えた硬質な紙巻きたばこの箱は、製造が容易で、使用も簡単であり、紙巻きたばこを内部に効果的に保護できることから、現在最も市場に流通している。
【０００４】
ヒンジ付きふたを備えた硬質な紙巻きたばこの箱は、上部開口端部を有しているカップ状容器と、カップ状のふたとを備えていて、そのカップ状ふたはヒンジに沿って容器にヒンジ取り付けされ、容器に関して開口端部を開口する開位置と、開口端部を閉じる閉位置との間で回転するようになっている。前述の硬質な紙巻きたばこの箱は、単一で平らなほぼ細長い長方形のブランクを、フォイルシートに包装された紙巻きたばこの群を囲んで折り曲げることにより作られる。この場合、ふたと容器との両方は同一のブランクの一部分を形成している。平らなブランクから分割されたＵ字形に折り曲げたカラーは、一般に容器の内部に接続され、そして一部分が開口端部の外側に向けて突出しており、ふたが閉位置の場合対応するふたの内面に係合するようになっている。
【０００５】
前述の硬質な紙巻きたばこの箱にはいくつかの欠点がある。それらは、形状がくずれやすく、比較的大きな力がかかる場合（ユーザがズボンのポケットに入れている場合のような）紙巻きたばこを内部に適切に保護することができず、そして偶発的に開いて箱から紙巻きたばこが放り出されてしまう。
【０００６】
前述の欠点を取り除くために、特許文献１は前述のタイプの硬質な紙巻きたばこの箱を開示していて、紙巻きたばこの箱が平行六面体の容器とカップ状のふたとを具備していて、容器はたばこ製品の群を収容するようになっており、そして取り出し開口部を備えていて；ふたはヒンジに沿って容器にヒンジ取り付けされており、容器に関して開位置と、閉位置との間で回転するようになっていて；容器とふたとはそれぞれブランクにより形成されており；ふたは容器の下端面に接着されている。
【０００７】
特許文献１に開示された箱は、製造コストが高価である。というのは、標準的な包装機械に対して種々の部品を改造した包装機械で製造する必要があるからである。
【特許文献１】米国特許第３８８１５９９号明細書
【特許文献２】欧州特許出願公開第７６４５９５号明細書
【特許文献３】欧州特許出願公開第１０６６２０６号明細書
【特許文献４】国際公開第０３０２６９８４号パンフレット
【発明の開示】
【発明が解決しようとする課題】
【０００８】
本発明の目的は、前述の欠点を取り除き、同時に製造が安価で簡単な、たばこ製品用の硬質なパッケージを提供することである。
【課題を解決するための手段】
【０００９】
本発明の目的は、特許請求の範囲に記載したたばこ製品用の硬質なパッケージにより達成されている。
【００１０】
例を用いて本発明の多くの実施形態が添付図を参照して以下に説明されている。
【発明を実施するための最良の形態】
【００１１】
図１において符号１は、フォイル包装材のシートに包装された、平行六面体形状の紙巻きたばこの群（明瞭にするために図示せず）の入った紙巻きたばこ用の硬質な箱全体を図示している。
【００１２】
箱１は、紙巻きたばこの群を収容するための平行六面体形状の容器２を備えていて、そして上端部に紙巻きたばこの取り出し開口部３を有している。箱１が、カップ形状のふた４を有していて、そのふた４はヒンジ５に沿って容器５にヒンジ取り付けされていて（図３，４に図示する）、容器２に対して、それぞれ取り出し開口部３を開閉する開位置を閉位置との間で回転するようになっている。
【００１３】
容器２は、二つの平行な向き合った大きな側面６と；二つの大きな側面６に直交している平行な向き合った小さな側面７と；上端面８と；上端面８に平行に向き合った下端面９とを有している。四つの長手縁１０は大きな側面６と小さな側面７との間に画成されていて；八つの横断縁１１は側面６，７と端面８，９との間に画成されている。詳しくは、横断縁１１は、大きな側面６と端面８，９との間に画成された四つの大きな横断縁１１と；小さな側面７と端面８，９との間に画成された、四つの小さな横断縁１１とに区分される。図において、長手縁１０と横断縁１１とは四方形の縁となっている。
【００１４】
カップ状のふた４は、ほぼ平行六面体形状であって、二つの平行な向き合った大きな側面１２と；二つの大きな側面１２に直交している平行な向き合った小さな側面１３と；上端面１４と；上端面１４に平行かつ向き合った下端面１５とを有している。二つの長手縁１６は大きな側面１２と小さな側面１３との間に画成されていて；六つの横断縁１７は側面１２，１３と端面１４，１５との間に画成されている。詳しくは、横断縁１７は、大きな側面１２と端面１４，１５との間に画成された四つの大きな横断縁１７と；小さな側面１３と端面１４，１５との間に画成された、二つの小さな横断縁１７とに区分される。図において、長手縁１６と横断縁１７とは四方形の縁となっている。
【００１５】
ふた４の上端面１４は、ふた４の下端面１５より大きくて、ふた４の大きな側面１２各々は、好ましくは三角形の面取りした下部を有している。
【００１６】
容器２及びふた４は、二つのそれぞれ独立したブランク１８及び１９を折り曲げることにより形成されている（図５−８）。ふた４は、容器の下端面９に接着されているので、ヒンジ５は、容器２の小さな側面７と端面８，９との間に画成された小さな横断縁１１に平行になっている。ヒンジ５は、好ましくは容器２の下端面９に設置されていて、下端面９の境界となっている二つの小さな横断縁１１の間の中間位置となっている。ふた４が閉位置にある場合、ふた４の上端面４が容器２の上端面８に接触していて、取り出し開口部３をおおっており、そしてふた４の下端面１５は容器２の下端面９に接触している。
【００１７】
容器２の下端面９が接続タブ２０を有していて、その接続タブ２０は、ヒンジ５を画成する折り曲げ線により下端面９から分割されていて、そしてタブ全体がふた４の下端面１５に接着されている。
【００１８】
図３及び４に図示するように、容器２に対してふた４の回転を制限するために、かつ最大開口位置を画成するために（図４参照）、ストップ部材が備えられている。ストップ部材が二つのストップタブ（stop tab）２１と二つのストップタブ２２とを備えていて、二つのストップタブ２１各々は容器２のそれぞれの大きな側面６から容器２の外側に向けて突出していて；二つのストップタブ２２各々はふた４のそれぞれの大きな側面１２からふた４の内側に向けて突出していて、そしてふた４を開くことができるようにそれぞれのストップタブ２１と係合するべく位置決めされている。
【００１９】
図示するように、ストップタブ２１は容器２のそれぞれの大きな側面６からストリップ材料を取り除くことにより形成されている。別の実施形態において（図示せず）、ストップタブ２１各々は容器２の大きな側面６に切り込みを作ることにより形成されている。
【００２０】
取り出し開口部３は、好ましくは、容器２の上端面８の一部と及び容器２の大きな側面６の一部とをおおって延伸しているので、取り出し開口部３から紙巻きたばこを迅速かつ容易に取り出すことができる。図２，４，５に図示するように、取り出し開口部３は容器２の引き裂き部分２３により閉じられている。図６に図示する別の実施形態において、引き裂き部分２３はない。引き裂き部分２３は、図２，４，５に図示するように取り出し開口部３全体を閉じているか、又は取り出し開口部３の一部分だけを閉じていてもよくて；後者の場合引き裂き部分２３は露出された大きな側面６における取り出し開口部３の一部から分離され、ユーザが箱１を密封しない場合に容器２から引き裂き部分２３をより簡単に握って除去することを可能にしている。
【００２１】
別の実施形態（図示せず）において、ふた４の小さな側面１３が少なくとも一つの貫通穴を有していて、その貫通穴はユーザが指を挿入できるものであり、そしてユーザがふた４と容器２との間で相対的な開口運動を片手で行なうことによりふた４を容易に開口できるようにしている。
【００２２】
図５において、容器２は平らで細長いほぼ長方形のブランク１８を折り曲げて形成されるようになっていて、構成部品は容器２の対応する部品と同一の符号が付番されている。
【００２３】
ブランク１８は二本の長手折り曲げ線２４と多数の横断折り曲げ線２５とを有していて、横断折り曲げ線２５は上端面８の一部を形成するパネル８' と；一方の大きな側面６を形成するパネル６' と；下端面９を形成するパネル９' と；他方の大きな側面６を形成するパネル６' と；残りの上端面８を形成するパネル８''とを二つの長手折り曲げ線２４の間に画成している。
【００２４】
パネル６' 各々が二つのウィング７' を有していて、二つのウィング７' はそれぞれの小さな側面７の一部を形成していて、対応するパネル６' の両側に位置しており、長手折り曲げ線２４により対応するパネル６' から分割されている。一つのパネル６' の第一ウィング７' が、横断折り曲げ線２５によりパネル６' から分割された二つのタブ２６を有していて、同一パネル６' の第二ウィング７' が一つのタブ２６を有していて、その一つのタブ２６は横断折り曲げ線２５によりパネル６' から分割され、そしてほぼパネル９' と整列している。
【００２５】
接続タブ２０は、パネル９' に接続されていて、そして折り曲げ線によりパネル９' から分割されており、その折り曲げ線はヒンジ５を画成し長手折り曲げ線２４に平行である。
【００２６】
図６は、容器２を形成するためのブランク１８の別の実施形態である。
【００２７】
図６における実施形態において、ブランク１８は二本の長手折り曲げ線２４と多数の横断折り曲げ線２５とを有していて、横断折り曲げ線２５は下端面９を形成するパネル９' と；一方の大きな側面６を形成するパネル６' と；上端面８を形成するパネル８' と；他方の大きな側面６を形成するパネル６' と；残りの下端面９を形成するパネル９''とを二つの長手折り曲げ線２４の間に画成している。
【００２８】
パネル６' 各々が二つのウィング７' を有していて、二つのウィング７' はそれぞれの小さな側面７の一部を形成していて、対応するパネル６' の両側に位置しており、長手折り曲げ線２４により対応するパネル６' から分割されている。一つのパネル６' の第一ウィング７' が、横断折り曲げ線２５によりパネル６' から分割された二つのタブ２６を有していて、同一パネル６' の第二ウィング７' が一つのタブ２６を有していて、その一つのタブ２６は横断折り曲げ線２５によりパネル６' から分割され、そしてほぼパネル９''と整列している。
【００２９】
接続タブ２０は、パネル９' に接続されていて、そして折り曲げ線によりパネル９' から分割されており、その折り曲げ線はヒンジ５を画成し長手折り曲げ線２４に平行である。
【００３０】
図７において、ふた４は平らで細長いほぼ長方形のブランク１９を折り曲げて形成されるようになっていて、構成部品はふた４の対応する部品と同一の符号が付番されている。
【００３１】
ブランク１９は二本の横断折り曲げ線２７と多数の長手折り曲げ線２８とを有していて、長手折り曲げ線２８は一方の大きな側面１２を形成するパネル１２' と；小さな側面１３を形成するパネル１３' と；他方の大きな側面１２を形成するパネル１２' とを二つの横断折り曲げ線２７の間に画成している。
【００３２】
一つのパネル１２' が二つのウィング１４' ，１５' を有していて、二つのウィング１４' ，１５' はパネル１２' の両端部に位置していて、横断折り曲げ線２７によりパネル１２' から分割されており、そして端面１４，１５のそれぞれの内部を形成している。パネル１３' が二つのウィング１４''，１５''を有していて、二つのウィング１４''，１５''はパネル１３' の両端部に位置していて、横断折り曲げ線２７によりパネル１３' から分割されており、そして端面１４，１５のそれぞれの内部を形成している。別のパネル１２' が二つのウィング１４'''，１５'''を有していて、二つのウィング１４'''，１５'''はパネル１２' の両端部に位置していて、横断折り曲げ線２７によりパネル１２' から分割されており、そして端面１４，１５のそれぞれの外部を形成している。
【００３３】
ウィング１４' ，１５' ，１４''及び１５''は、ふた４の端面１４，１５を画成するためにウィング１４'''及び１５'''の上に折り曲げられた場合重ならないようになっている。
【００３４】
図８はふた４を形成するためのブランク９の別の実施形態を図示している。
【００３５】
図８における実施形態においてブランク１９は二本の長手折り曲げ線２９と多数の横断折り曲げ線３０とを有していて、横断折り曲げ線３０は上端面１４の一部を形成するパネル１４' と；一つの大きな側面１２を形成するパネル１２' と；下端面１５を形成するパネル１５' と；他の大きな側面１２を形成するパネル１２' と；残りの上端面１４を形成するパネル１４''とを二つの長手折り曲げ線２９の間に画成している。
【００３６】
パネル１２' 各々がウィング１３' を有していて、ウィング１３' はそれぞれの小さな側面１３の一部を形成していて、長手折り曲げ線２９によりパネル１２' から分割されている。一つのパネル１２' のウィング１３' が、横断折り曲げ線３０によりウィング１３' から分割された二つのタブ３１を有している。上部ウィング３１及びパネル１４' は、上端面１４を形成するためにパネル１４''の上に折り曲げられる場合、重ならないような形状となっている。
【００３７】
図９は、ふた４を形成するためのブランク１９の別の実施形態を図示している。
【００３８】
図９の実施形態において、ブランク１９は二本の長手折り曲げ線２９と多数の横断折り曲げ線３０とを有していて、横断折り曲げ線３０は下端面１５の一部を形成するパネル１５' と；一つの大きな側面１２を形成するパネル１２' と；上端面１４を形成するパネル１４' と；他の大きな側面１２を形成するパネル１２' と；残りの下端面１５を形成するパネル１５''とを長手折り曲げ線２９の間に画成している。
【００３９】
パネル１２' 各々がウィング１３' を有していて、ウィング１３' はそれぞれの小さな側面１３の一部を形成していて、長手折り曲げ線２９によりパネル１２' から分割されている。一つのパネル１２' のウィング１３' が、横断折り曲げ線３０によりウィング１３' から分割された二つのタブ３１を有している。上部ウィング３１及びパネル１５' は、下端面１５を形成するためにパネル１５''の上に折り曲げられる場合、重ならないような形状となっている。
【００４０】
図示する実施形態において、長手縁１０，１６及び横断縁１１，１７はすべて正方形状の縁となっている。別の実施形態（図示せず）において、いくつかの長手縁１０，１６及び／又はいくつかの横断縁１１，１７は正方形状の縁ではなく、円形状の縁又は傾斜した縁である。例えば、すべての長手縁１０，１６は正方形状の縁ではなくて、円形状の縁又は傾斜した縁であってもよくて、又は（特許文献２に開示された紙巻きたばこの箱のように）すべての大きな横断縁１１，１７は正方形状の縁ではなくて円形状の縁又は傾斜した縁であってもよい。代りに、いくつかの長手縁１０，１６及びいくつかの横断縁１１，１７が正方形状の縁ではなくて、円形状の縁又は傾斜した縁であってもよくて、正方形状ではなくて円形状又は傾斜した長手縁１０，１６と正方形状ではなくて円形状又は傾斜した横断縁１１，１７との両方を持つようになっている。
【００４１】
別の実施形態において（図示せず）、箱１が特許文献３に開示されているものであってもよくて；この場合、大きな側面６，１２各々は外向きに凸面となっていて、そしてそれぞれの平らな中央部分と二つの湾曲した折り目のある側面バンドとを有しており、その側面バンドは、それぞれの正方形状でない長手縁１０，１６において平らな中央部分を小さな側面７，１３に接続している。
【００４２】
別の実施形態において（図示せず）、箱１が特許文献４に開示されているものであってもよくて；この場合、大きな側面６，１２各々は外向きに凸面となっていて、そしてそれぞれの平らな中央部分と二つの湾曲した折り目のある側面バンドとを有しており、その側面バンドは、それぞれの正方形状でない横断縁１１，１７において平らな中央部分を端面８，９，１４，１５に接続している。
【００４３】
前述した箱は、種々の利点を備えていて：製造するのが安価であり簡単であり、容器２内部の紙巻きたばこを効果的に保護するものであり、迅速かつ簡単に開口することができる。同時に、箱をどのように使用しているかに関係なく、偶発的なふた４の開口が防止されている。さらに、前述の箱１は、標準的な包装機械と同様な包装機械を用いて、安価かつ簡単に製造することができる。
【００４４】
多くの利点があることから、前述の箱１は、紙巻きたばこのカートン又は紙巻きたばこパケットのような、たばこ製品用の別のタイプの硬質なパッケージの製造に使用することもできる。
【図面の簡単な説明】
【００４５】
【図１】図１は、本発明による紙巻きたばこ用の硬質な箱を前から見た斜視図であって閉じた状態のものである。
【図２】図２は、図１における紙巻きたばこ用の硬質な箱を前から見た斜視図であって、開いた状態のものである。
【図３】図３は、図１における紙巻きたばこ用の硬質な箱を前から見た斜視図であって、閉じた状態のものであり、点線は箱の内部の種々の構成部品を図示している。
【図４】図４は、図１における紙巻きたばこ用の硬質な箱を前から見た斜視図であって、開いた状態のものであり、点線は箱の内部の種々の構成部品を図示している。
【図５】図５は、図１における紙巻きたばこ用の硬質な箱を作るための第一ブランクの平面図である。
【図６】図６は、図５におけるブランクの別の実施形態の平面図である。
【図７】図７は、図１における紙巻きたばこ用の硬質な箱を作るための第二ブランクの平面図である。
【図８】図８は、図７におけるブランクの別の実施形態の平面図である。
【図９】図９は、図７におけるブランクのさらに別の実施形態の平面図である。
【符号の説明】
【００４６】
２    容器
３    取り出し開口部
４    カップ状ふた
５    ヒンジ
６    大きな側面
７    小さな側面
２０    接続タブ
【図１】
2007238182.tif 000003
【図２】
2007238182.tif 000004
【図３】
2007238182.tif 000005
【図４】
2007238182.tif 000006
【図５】
2007238182.tif 000007
【図６】
2007238182.tif 000008
【図７】
2007238182.tif 000009
【図８】
2007238182.tif 000010
【図９】
2007238182.tif 000011
【外国語明細書】
2007238182000001.pdf